(57)【要約】      （修正有）【課題】事前に想定される火災の種別等に応じて、複数本の消火器のうちどの消火器をどのような順番で使用するのがよいかを一目でわかりやすく表示する消火器スタンドを提供する。【解決手段】複数本の消火器９１〜９３の設置空間を形成する前板１１及び後板１２を含む本体１０と、前板及び後板のうち少なくとも一方に配置され、複数本の消火器の使用方法を表示する表示部２０と、を具備する。表示部は、使用方法の表示として、複数本の消火器の種別及び使用推奨順を示す情報２１、２２を含む。【選択図】図１
0003233353.tif 000002
【実用新案登録請求の範囲】
【請求項１】
複数本の消火器の設置空間を形成する前板及び後板を含む本体と、
前記前板及び前記後板のうち少なくとも一方に配置され、前記複数本の消火器の使用方法を表示する表示部と、
を具備することを特徴とする消火器スタンド。
【請求項２】
前記表示部が、前記使用方法の表示として、前記複数本の消火器の種別及び使用推奨順を示す情報を含むこと、
を特徴とする請求項１に記載の消火器スタンド。
【請求項３】
前記表示部が、前記本体に貼付されるシール材であること、
を特徴とする請求項１又は２に記載の消火器スタンド。
【請求項４】
前記本体が、それぞれ少なくとも１本の消火器を収容し、互いに連結及び分離可能な、複数の小スタンドを含むこと、
を特徴とする請求項１〜３のいずれかに記載の消火器スタンド。
【請求項５】
前記複数本の消火器を配置するための基準位置を示す配置基準部を更に備えること、
を特徴とする請求項１〜３のいずれかに記載の消火器スタンド。
【考案の詳細な説明】
【技術分野】
【０００１】
本考案は、複数本の消火器を設置するための消火器スタンドに関する。
【背景技術】
【０００２】
一般に、消火器には、二酸化炭素などのガス消火剤を使うもの、強化液（中性）や機械泡など液体の消火剤を使用するもの、ＡＢＣ粉末などの粉末消火剤を使用するものがあり、それぞれ、対象となる火災種別などの利点・欠点を有している。
【０００３】
消防等に関する法令で消火器の設置を義務付けられている物件においては、消火器を法令の通りに設置する必要があるが、法令で要求される本数を超える本数の消火器を自主的に設置することも可能である。そのため、施主等、物件の責任者の判断により、一か所に複数本の消火器を自主的に設置してもよい。
【０００４】
例えば特許文献１（特開２０１５−５８２６４号公報）は、１本の消火器を床上に設置するための収納具を開示している。
【先行技術文献】
【特許文献】
【０００５】
【特許文献１】特開２０１５−５８２６４号公報
【考案の概要】
【考案が解決しようとする課題】
【０００６】
ところで、火災発生時に最重要となるのは身の安全である。ただし、火災がまだ初期段階であり、尚且つ避難経路や身の安全が確保できる状況では、火災による被害を最小限に食い止めるべく、消火器を用いた初期消火にあたることが望ましい。
【０００７】
他方、消火活動後の復旧には甚大な労力や費用がかかるケースもあり、場合によっては当面の営業停止を余儀なくされる恐れもある。
【０００８】
しかし、火災発生時のような非常事態に際して、心の平静を保ち、消火器の種別による利点・欠点を冷静に分析しながら、適切な消火器を見極めて手に取り、消火活動にあたることは難しい。
【０００９】
そこで、本考案は、事前に想定される火災の種別等に応じて、複数本の消火器のうちどの消火器をどのような順番で使用するのがよいかを一目でわかりやすく表示する消火器スタンドを提供することを目的とする。
【課題を解決するための手段】
【００１０】
上述した課題を解決すべく、本考案は、
複数本の消火器の設置空間を形成する前板及び後板を含む本体と、
前記前板及び前記後板のうち少なくとも一方に配置され、前記複数本の消火器の使用方法を表示する表示部と、
を具備することを特徴とする消火器スタンド
を提供する。
【００１１】
本考案の消火器スタンドにおいては、前記表示部が、前記使用方法の表示として、前記複数本の消火器の種別及び使用推奨順を示す情報（例えば文字、数字及び矢印を含む表記）を含むこと、が好ましい。
【００１２】
また、本考案の消火器スタンドにおいては、前記表示部が、前記本体に貼付されるシール材であること、が好ましい。
【００１３】
また、本考案の消火器スタンドにおいては、前記本体が、それぞれ少なくとも１本の消火器を収容し、互いに連結及び分離可能な、複数の小スタンドを含むこと、が好ましい。
【００１４】
また、本考案の消火器スタンドは、前記複数本の消火器を配置するための基準位置を示す配置基準部を更に備えることが好ましい。
【考案の効果】
【００１５】
本考案によれば、事前に想定される火災の種別等に応じて、複数本の消火器のうちどの消火器をどのような順番で使用するのがよいかを一目でわかりやすく表示する。したがって、消火器の設置者は、複数の消火器をどの順で配置すればよいかを直ちに理解でき、また、消火器の使用者は、火災という緊急事態時でも、適切な消火器を選択して使用することが期待される。
【図面の簡単な説明】
【００１６】
【図１】本実施形態に係る消火器スタンド１及び消火器スタンド１に設置された消火器９１〜９３の一例を示す図である。
【図２】消火器スタンド１の斜視図である。
【図３】消火器スタンド１の正面図、側面図及び底面図である。
【図４】本実施形態の変形例に係る消火器スタンド２の正面図である。
【考案を実施するための形態】
【００１７】
以下、本考案の消火器スタンドの代表的な実施形態について、図面を参照しつつ詳細に説明する。なお、本考案はこれら図面に限定されるものではない。また、図面は、本考案を概念的に説明するためのものであるから、理解容易のために、必要に応じて寸法、比又は数を誇張又は簡略化して表している場合もある。
【００１８】
図１〜図４を参照して、本実施形態に係る消火器スタンド１を説明する。
図１に示すように、消火器スタンド１は、複数本の消火器９１〜９３を設置するためのスタンドである。消火器スタンド１は、本体１０及び表示部２０を含む。
【００１９】
本体１０は、消火器９１〜９３の前方に位置する前板１１、及び、消火器９１〜９３の後方に位置する後板１２を有する。前板１１及び後板１２は、底板１３を介して接続されており、消火器９１〜９３を設置ないし収容する設置空間Ｓを形成する（図２及び図３（Ｂ）参照）。
【００２０】
前板１１は、ユーザが消火器９１〜９３を視認しやすいように、消火器９１〜９３よりも低いことが好ましい。また、後板１２は、後述する表示部２０（表示２２）が消火器９１〜９３の後ろに隠れないように、消火器９１〜９３よりも高いことが好ましい（図１参照）。
【００２１】
本体１０は、耐火性及び強度の観点から、アルミニウムなどの金属材料で作製されることが好ましいが、これに限られず、例えば樹脂材料等の他の材料で作製されてもよい。
【００２２】
また、消火器スタンド１の設置面（例えば床面）の保護及び消火器スタンド１の意図しない移動の抑制の観点から、底板１３の底面に脚部４０が取り付けられてもよい（図３（Ｃ）参照）。脚部４０は例えばゴム製で着脱可能であり、不要であれば取り外しても良い。
【００２３】
次いで表示部２０の説明に移ると、表示部２０は、消火器９１〜９３の使用方法を表示する。表示部２０に表示される使用方法としては、例えば消火器９１〜９３の種別及び使用推奨順を示す表示２１，２２が挙げられ、これらの表示２１，２２は、文字、数字及び矢印等の情報から構成されている。本実施形態では、例えば図３（Ａ）に示すように、表示部２０は、前板１１及び後板１２の両方に設けられているが、表示部２０は前板１１及び後板１２のうち一方に配置されてもよい。なお、表示部２０は蛍光塗料の塗布などにより夜間や暗所で視認しやすくしてもよい。
【００２４】
ここで、表示部２０の表示例を挙げる。
例えば、想定される火災が小規模の油火災であり、消火活動後の復旧の容易さが重視される場合には、ガス系→水泡系→粉末系の順に３種類の消火器を使うことが考えられる。すなわち、最初のガス系消火器で消火に成功した場合には、事後の復旧が非常に簡単となる。ただし、ガス系、水泡系の消火器では操作に習熟した者でなければ奏功しないこともあるので、最後の手段として、区画内の汚損を覚悟で放射範囲が広く消炎効果の非常に高い粉末消火器を使えばよい。
【００２５】
そこで、図の例では、消火器の種別を示す表示２１として、ガス系を示す「二酸化炭素」、水泡系を示す「強化液」及び粉末系を示す「粉」の各文字、及び、対応する火災の種類を示す図形が表示されている。併せて、使用推奨順を示す表示２２として、「１」、「２」及び「３」の数字が矢印とともに表示されている。
【００２６】
あるいは、想定される火災が普通火災の場合には、ガス系消火器はそもそも対応していないので、水泡系→粉末系の順に２種類の消火器を使うことが適切である。この場合、図の例と異なり、消火器の種別を示す表示２１として、「強化液」及び「粉」の文字及び対応する火災の種類を示す図形が表示され、使用推奨順を示す表示２２として、「１」及び「２」の数字が矢印とともに表示されている。
【００２７】
本実施形態において、異なる種類の消火器を使わなければならない必然性はなく、同じ種類の消火器を複数本使用してもよい。また、消火の容易さや消火後の復旧の容易さ等を比較考量し、使用する消火器の種類及び本数を適宜決定すればよい。
【００２８】
このような表示部２０は、本体１０に貼付されて表示層をなすシール材としてもよい。後から貼付けできるようにすることで、顧客要望に応じた様々なバリエーションに対応する消火器スタンドを構成することが可能となる。
【００２９】
また、消火器スタンド１は、配置基準部３０を備えてもよい。配置基準部３０は、消火器９１〜９３を配置する基準位置を示すものであり、例えば、隣り合う消火器の境界領域を示したり、各消火器の位置を指示したりするものである。配置基準部３０としては、図２に示すようにスリットでもよいし、線・矢印・凹凸などでもよい。
【００３０】
上述した構成を有する消火器スタンド１の使用方法を説明する。
消火器スタンド１の設置に先立ち、設置者は、本体１０にシールを貼付するなどして、設置場所に応じて表示部２０を適切に配置しておく。次いで、設置者は、所望の床面に消火器スタンド１を設置するとともに、本体１０に消火器９１〜９３を設置する。このとき、設置者は、表示部２０を確認することで、どの種類の消火器をどの位置に配置すればよいかを一見して容易に把握することができる。また、消火器の点検・交換の際にも、設置者は、表示部２０を確認することで、どの種類の消火器をどの位置に配置すればよいかを直ちに把握することができる。
【００３１】
火災発生時には、消火器の使用者は、消火器スタンド１に設置された消火器９１〜９３の中から適切なものを手に取り、消火活動に当たる。このとき、消火器スタンド１の表示部２０は、事前に想定される火災の種別等に応じて、消火器９１〜９３のうちどの消火器をどのような順番で使用するのがよいかを一目でわかりやすく表示しているから、使用者は、表示部２０の指示を踏まえて適切な消火器を適切なタイミングで選択することが期待される。
【００３２】
次いで、図４を参照して、本実施形態の変形例に係る消火器スタンド２を説明する。
変形例では、消火器スタンド２は、複数の小スタンド２Ａ〜２Ｃを含んで構成される。換言すれば、消火器の設置数に応じて必要な個数だけ小スタンド２Ａ〜２Ｃを連結することで消火器スタンド２が形成される。
【００３３】
そして、小スタンド２Ａ〜２Ｃのそれぞれは、本体１０Ａ〜１０Ｃ、表示部２０Ａ〜２０Ｃ及び脚部４０を含んでいる。小スタンド２Ａ〜２Ｃは３個に限られず、２個でも、４個以上でもよい。
【００３４】
本体１０Ａ〜１０Ｃは、それぞれ１本の消火器を収容し、互いに連結及び分離可能である。本体１０Ａ〜１０Ｃはそれぞれ、前板１１Ａ〜１１Ｃ及び後板１２Ａ〜１２Ｃを含み、前板１１Ａ〜１１Ｃ及び後板１２Ａ〜１２Ｃはそれぞれ底板（図示せず）を介して連結されている。ここで、小スタンド２Ａ〜２Ｃ（本体１０Ａ〜１０Ｃ）同士は、溶接や接着により連結してもよいし、前板１１Ａ〜１１Ｃや後板１２Ａ〜１２Ｃの側部に設けた差し込み式、あるいはフック状の連結具（図示せず）を介して着脱可能に連結してもよい。例えば、差し込み式の連結具を設ける場合、前板１１Ａ〜１１Ｃや後板１２Ａ〜１２Ｃの右側部（又は左側部）に突起形状の連結具を設け、反対側の左側部（又は右側部）にそれに対応する窪み状の構造を設けておくことで、互いに連結可能とすることができる。
なお、小スタンド１０Ａ〜１０Ｃは底板の底面に脚部４０を有していてもよい。
【００３５】
また、本体１０Ａ〜１０Ｃにはそれぞれ表示部２０Ａ〜２０Ｃが設けられている。表示部２０Ａ〜２０Ｃは、本実施形態における表示部２０と同様に、消火器の使用方法を表示する。図４の例では、前板１１Ａ〜１１Ｃに、消火器の種類及び対応する火災を示す表示２１Ａ〜２１Ｃが設けられ、後板１２Ａ〜１２Ｃには、消火器の使用推奨順を示す表示２２Ａ〜２２Ｃが設けられている。
【００３６】
この変形例では、小スタンド２Ａ〜２Ｃにそれぞれ消火器１本ずつ担当させるとともに、適宜連結及び分離を可能とすることで、初期消火に対する設置者の考え方に応じて、消火器の使用順や種別の組合せを柔軟に変更することが更に可能となる。
【００３７】
以上、本考案の一実施形態である消火器スタンドについて説明したが、本考案はこれらのみに限定されるものではなく、本考案の技術的思想を具備する限りは種々の設計変更が可能であり、かかる設計変更態様は全て本考案の技術的範囲に含まれる。
【００３８】
例えば、上記実施形態においては、表示部として本体１０に貼付されて表示層をなすシール材で構成されている場合について述べたが、表示部はＬＥＤディスプレイで構成されていてもよく、また、その場合は太陽電池パネルを具備していてもよい。
【００３９】
また、消火器スタンドに通信部を設けて、消火器の種類等によって表示部の表示内容を変更したり、消火器スタンドにおける消火器の設置状態や使用状態を、別の場所（例えば防災センター、消火器メーカーや消防署等）において把握・管理したりできるようにしてもよい。
【符号の説明】
【００４０】
１，２  消火器スタンド
１０，１０Ａ〜１０Ｃ    本体
１１，１１Ａ〜１１Ｃ    前板
１２，１２Ａ〜１２Ｃ    後板
２０，２０Ａ〜２０Ｃ    表示部
３０    配置基準部
４０    脚部
Ｓ      設置空間
【図１】
0003233353.tif 000003
【図２】
0003233353.tif 000004
【図３】
0003233353.tif 000005
【図４】
0003233353.tif 000006